(57)【要約】      （修正有）【課題】放射性物質により汚染された廃棄物焼却灰・樹木・その他の汚染物に付着した放射性物質を国の定める安全な基準値まで洗浄し除染処理する事とその洗浄により排出される洗浄排水の安全な処理システムを提供する。【解決手段】放射性物質の融点温度の一番低いセシュウム１３７の２８．４℃以下の水温の水を使って洗浄する事で、放射性物質に対して安全に洗浄作業を行う。また、その洗浄作業により排出された洗浄排水を物質の比重を利用し、浄水施設の沈殿プールで沈殿作業工程を繰り返し行い、沈殿プールの下層部に沈殿した少量の汚染沈殿物等を専用の放射能処理施設で処理をする、上層部に残った放射性物質や土・石などより比重の軽い安全な基準値の洗浄水を沸点よりも小さく融点温度より低い温度（２８℃以下）で放出できる気化機で気化し空気中に自然に放出する。【選択図】図１
2013156241.tif 000002
【特許請求の範囲】
【請求項１】
放射性物質に汚染された廃棄物焼却・樹木・その他の多くの汚染物の除染での洗浄作業で放射性物質（放射性物質の融点温度▲１▼コバルト６０：１４９５℃▲２▼ストロンチューム９０：７７７℃▲３▼プロトニューム２３９：６３９℃▲４▼ヨウ素１３１：１１３℃▲５▼セシュウム１３７：２８．４℃）中の融点温度が一番低いセシュウム１３７の２８．４℃以下の水温の洗浄水で洗浄する事で放射性物質が融点温度に達しない安全な温度で洗浄作業を行う。そしてこの洗浄作業で排出された洗浄排水を除染専用の浄水施設内の沈殿プールにて水温２８℃以下の水温管理状況にて沈殿処理作業を繰り返し行う。また、この沈殿処理に関しては各物質の比重（▲１▼コバルト６０：８．８５▲２▼ヨウ素１３１：４．９３▲３▼ストロンチューム９０：２．６３▲４▼プロトニューム２３９：１．９〜１．９７▲５▼セシュウム１３７：１．９汚染物に付着したと思われる▲６▼石の粉：２．６〜２．８▲７▼粘土：２．６▲８▼砂：１．９▲９▼廃棄物焼却灰：１．１６）である為、以上の事から沈殿プールの下層部には比重の重い放射性物質から汚染物に付着していたごく少量の石の粉・砂・土などの付着物も沈殿する為、この沈殿物は第二次の専用放射性処理施設にて処理を行えば良い。
その沈殿物の層より上の上層部の洗浄排水は国の定める安全な基準値以下の確認後、沈殿プールより再浄化しながら貯水タンクなどに移し、その安全な基準値にろ過された洗浄排水を気化装置により気化させ空気中に放出する事が行えるような物質の融点や比重を利用した沈殿作業。
または、もう１つの除染方法としては逆浸透膜浄水の分子の大きさが０．０００３ミクロンより少し大きなＲＯ膜は分子の小さな水は通過でき、それより大きな分子のセシュウムやヨウ素等の放射性物質やその他の不純物は通過する事ができずに減容された放射性物質や不純物等は専用の放射性物質処理施設へ通過した水は気化機により空気中へ気化放出する汚染水の洗浄浄化処理システム。
【発明の詳細な説明】
【技術分野】
【０００１】この発明は、今までは放射性物質に汚染された樹木やその他の汚染物は国が定める基準値を下回らない為、処理できずに集められていたので、その廃棄物焼却灰・樹木・他の汚染物体を自然に戻す為に水温２８℃以下の水を使って、洗浄機等で洗浄をして安全な基準値になるまで繰り返し洗浄し、その作業で排出された洗浄排水を集めて、除染専用の洗浄施設で水温２８℃以下の沈殿プールにて比重の重い放射性物質を下層部の底に沈殿させながら沈殿浄化工程を繰り返し、上澄みの安全な洗浄水を検査後、別のタンクへ移す
または、除染物等の洗浄後に排水された洗浄排水を逆浸透膜浄水で放射性物質や不純物と水に分別した洗浄水の水を気化機により気化させ空気中に安全に戻す事ができる洗浄と洗浄水の気化処理システム。
【背景技術】
【０００２】現在、放射性物質に汚染された廃棄物焼却灰・樹木・その他の汚染物に関して、安全な洗浄方法が望まれていた。また、洗浄により排出された洗浄排水の処理に困っていた為、国が定めた安全な基準値の洗浄排水を垂れ流しではなく安全に自然に戻す作業方法が望まれていた。
【発明の概要】
【発明が解決しようとする課題】
【０００３】放射性物質により汚染された樹木・その他の汚染物に付着した放射性物質を水により洗浄していたが、放出された放射性物質の特性は考慮せず、洗浄作業を行ってきたので、各放射性物質の特性を考え、放射能の汚染により放射性物質が付着した汚染物質が洗浄作業により融点温度に達しえない安全な洗浄作業方法と、洗浄後に排出される洗浄排水に関して処理ができず大量の洗浄処理排水を保管する事になる為、洗浄後の洗浄排水を国が定める安全な基準値以下の洗浄水に浄化処理して気化機を使って気化させ、自然に戻せるようにと考えられたものである。
【課題を解決する為の手段】
【０００４】放射性物質に汚染された樹木・その他の色々な汚染物の洗浄方法として洗浄され除去される各種類の放射性物質が洗浄作業により融点温度にならない安全な洗浄水温度（放射性物質中融点温度が一番低いセシュウム１３７の融点が２８．４℃の為）２８℃以下の洗浄水温度の水を使って放射性物質の洗浄除去作業で、放射性物質に汚染された汚染物を洗浄作業により洗浄される放射性物質が融点温度にならないよう（各放射性物質の融点▲１▼コバルト６０：１４９５℃▲２▼ストロンチューム９０：７７７℃▲３▼プロトニュウム２３９：６３９℃▲４▼ヨウ素１３１：１１３℃▲５▼セシュウム１３７：２８．４℃で）一番融点温度の低いセシュウム１３７の２８．４℃以下の水温の洗浄水温度で洗浄する。その洗浄後に排出された洗浄排水を安全確認の為、検知機により各放射性物質の有無の確認後、洗浄排水を浄水施設に移動させ、浄水施設の沈殿プールにて２８℃以下の水温の沈殿処理を行う。沈殿処理作業に関して（各放射性物質の比重▲１▼コバルト６０：８．８５▲２▼ヨウ素１３１：４．９３▲３▼ストロンチューム９０：２．６３▲４▼プロトニューム２３９：１．９〜１．９７▲５▼セシュウム１３７：１．９そして一般的な物質▲６▼砂：１．９▲７▼粘土：２．６▲８▼廃棄物焼却灰：１．１６）である為、沈殿プールの下部層に沈殿するごく少量の放射性物質の沈殿物・汚染物に付着していた放射性物質・土等を第２次の専用放射能処理施設にて減容された最小限の容量の処理物として処理する事ができる。
また、沈殿プールにて沈殿作業工程を繰り返し行い、国の定める安全な基準値に達した洗浄水を別のタンクへと移し、気化機により２８℃以下の水温の洗浄水を気化させ、空気中に放出させ水処理する
また、別の方法として汚染物等の洗浄後に排出された洗浄排水を逆浸透膜浄水で放射性物質や不純物と水に分別し、国が定めた安全な基準値以下の水は気化機により気化させ空気中に放出させる水処理するシステムである。
【発明の効果】
【０００５】放射性物質に汚染された廃棄物焼却灰・樹木・その他の汚染物を２８℃以下の洗浄水で洗浄する事で放射性物質に汚染された廃棄物を国の定める安全な基準値内の廃棄物として処理作業を行う事ができる。
また、放射性物質の除去の為に使用した洗浄排水を国の定める安全基準値以下の洗浄排水として処理する為、洗浄排水を浄水施設の沈殿プールで２８℃以下の水温で貯水し沈殿させる沈殿作業や、ろ過作業を行い、沈殿プール下層部に比重が１以上の沈殿した放射性物質や汚染物等の少量の沈殿物は第二次の専用の放射能処理施設で処理を行う。また、上層部の洗浄水は他の貯水タンクに移し、安全値の再確認後、気化機により気化処理をし空気中に戻すまた、もう１つの除染方法として汚染物等の除染作業後の洗浄排水を逆浸透膜浄水で水と不純物等に分別された不純物等は第二次の放射能処理施設へ、除染された洗浄水は気化機により気化処理をし空気中に戻すシステムとして提供できる。
【図面の簡単な説明】
【０００６】
【図１】洗浄・沈殿・気化処理工程図
【図２】浄化沈殿プール断面図
【図３】逆浸透膜（ＲＯ膜）図
【図４】貯水タンクと気化機図
【発明を実施する為の形態】
【０００７】以上、本願発明の実施の形態について説明する。
放射能物質に汚染された樹木・その他の汚染物を洗浄するシステムとして汚染物の洗浄作業で汚染物に付着している放射性物質が洗浄作業により融点温度に達して溶けないように放射性物質中融点が一番低いセシュウム１３７の融点温度２８．４℃以下の温度の水温の洗浄水を使って高圧洗浄機などで洗浄作業を行う事で安全に汚染物の洗浄作業を行う事ができる。この洗浄作業で洗浄された汚染物は、国の定める安全な基準値まで洗浄後、安全な基準値の廃棄物として他の処理施設で処理する事ができる。そして、この洗浄作業で排出された洗浄排水を国の定める安全な基準値の洗浄排水にする為、除染専用の浄水施設の沈殿プールにて各放射性物質の比重を利用して、沈殿処理作業を行い、沈殿プールの下層部に沈殿した少量の汚染沈殿物や汚染物に付着していた少量の土や砂等の沈殿物を第二次処理としての処理施設で放射性物質にあった処理を行う事ができる。また、沈殿プールで上層部の比重１の水に関しては静かに別の貯水タンクへと移し、気化機により気化作業を行い空気中に放出して安全に処理する
また、もう１つの処理方法として、汚染物などの洗浄作業後に排出された洗浄排水を逆浸透膜浄水で水と不純物等に分別し、放射性物質などの不純物などは第二次の放射能処理施設へ、浄化された安全な水は気化機により気化作業を行い空気中に放出して安全に処理する事ができるものである。
【符号の説明】
【０００８】▲１▼沈殿プール
▲２▼洗浄排水
▲３▼沈殿物
▲４▼排水パイプ
▲５▼吸水パイプ
▲６▼ファン
▲７▼フィルター
▲８▼気化気
▲９▼貯水タンク
▲１０▼ＲＯ膜
▲１１▼純水
▲１２▼放射性セシュウム
▲１３▼放射性ヨウ素
【図１】
2013156241.tif 000003
【図２】
2013156241.tif 000004
【図３】
2013156241.tif 000005
【図４】
2013156241.tif 000006